(57)【特許請求の範囲】
【請求項１】
遊技機に設けられる遊技機の装飾部品であって、
光を発する発光手段と、
該発光手段から発せられた光を回転しながら反射可能な回転反射手段と、
該回転反射手段の少なくとも前方に設けられ、前記光を透過可能な透過手段と、
を備えており、
前記発光手段は、上下それぞれに配設されたフルカラー発光ダイオードであり、上側のフルカラー発光ダイオードと下側のフルカラー発光ダイオードは光の点滅のタイミングをずらすように制御され、
前記回転反射手段は、前記上下のフルカラー発光ダイオードの間に傾斜姿勢で設けられ、両面に反射面が形成された反射板であり、
前記上下のフルカラー発光ダイオードは平面視で前記反射板の外形より内側に配置されていることを特徴とする遊技機の装飾部品。
【請求項２】
前記発光手段は、上下それぞれに複数配設されたフルカラー発光ダイオードであり、上側のフルカラー発光ダイオードと下側のフルカラー発光ダイオードとは平面的な配置及び各フルカラー発光ダイオード間の平面的な離隔距離がそれぞれ異なるように設けられている請求項１に記載の遊技機の装飾部品。
【発明の詳細な説明】
【技術分野】
【０００１】
本発明は、パチンコ遊技機のパトライト等、光を発する発光手段を備えた遊技機の装飾部品に関する。
【背景技術】
【０００２】
従来、パチンコ遊技機等の遊技機には、遊技者の興趣を増大させるため、ランプ等の発光手段を備えた装飾部品が設置されている。この種の従来の装飾部品としては、例えば、前枠の上部に設置された枠飾りが知られている。この枠飾りは、ランプを内設した回転体を備えており、遊技機の遊技状態に応じて、この回転体が回転すると共にその内部のランプが点滅するようになっている（例えば、特許文献１参照）。
【０００３】
【特許文献１】特開平６−２５４２１６号公報
【発明の開示】
【発明が解決しようとする課題】
【０００４】
しかしながら、上記した従来の遊技機の装飾部品では、ランプから単一色の光しか発せられず、また、ランプからの発光方向は回転体の回転に伴って規則的に変化するだけであった。したがって、装飾効果に乏しく、遊技者の興趣を十分に引き付けることができないといった問題があった。
【０００５】
本発明は、上記した課題を解決すべくなされたものであり、装飾効果を高め、遊技者の興趣を増大させることのできる遊技機の装飾部品を提供しようとするものである。
【課題を解決するための手段】
【０００６】
本発明は、遊技機１に設けられる遊技機１の装飾部品１２であって、光を発する発光手段３７ａ，３７ｂ，３７ｃ，４９ａ，４９ｂ，４９ｃと、発光手段３７ａ，３７ｂ，３７ｃ，４９ａ，４９ｂ，４９ｃから発せられた光を回転しながら反射可能な回転反射手段２８と、回転反射手段２８の少なくとも後方に設けられ、前記光を前方に反射可能な反射手段３２と、回転反射手段２８の少なくとも前方に設けられ、前記光を透過可能な透過手段２９とを備えており、回転反射手段２８は反射手段３２及び透過手段２９により囲繞され、反射手段３２は透過手段２９の外側にも形成されていることを特徴とする。
【発明の効果】
【０００７】
本発明によれば、発光手段から発せられた光を回転反射手段が回転しながら反射すると共に反射手段により前記光を反射し、さらに、その反射手段は透過手段２９の外側にも形成されているため、光がよく交じり合い、多種多様な光を創出することができる。したがって、演出効果を高め、遊技者の興趣を引き付け、遊技性の向上を図ることができる。
【発明を実施するための最良の形態】
【０００８】
以下、図面を参照しつつ、本発明の実施の形態について説明する。なお、以下の説明では、本発明をパチンコ遊技機のパトライトに適用した場合について例示して説明する。
【０００９】
先ず、図１を参照しつつ、本発明の実施の形態におけるパチンコ遊技機の概略構成について説明する。ここで、図１はパチンコ遊技機を示す正面図である。
【００１０】
このパチンコ遊技機１は、方形枠状の外枠２と、遊技機の機体となる前枠３とを備えており、前枠３は、外枠２の正面左側上下に設けられたヒンジ金具４ａ，４ｂにより外枠２に対して開閉可能に取り付けられていると共に、外枠２の正面右側に設けられた施錠装置５により閉鎖状態に保持されるようになっている。そして、前枠３には、遊技盤６が収容されており、遊技盤６の前面側に、図柄表示装置の表示部７、中央飾り８、始動入賞口９、大入賞口１０等の各種遊技部品がそれぞれ配設されて遊技領域１１が形成され、さらに中央飾り８にはパトライト１２が設けられている。
【００１１】
また、前枠３の正面側には、ガラス扉１３及び球皿１４が開閉可能且つ着脱可能に取り付けられており、これらは施錠装置５及び球皿施錠装置（図示せず）により閉鎖状態に保持されるようになっている。そして、球皿１４の正面右側下部には発射ハンドル１５が設けられ、発射ハンドル１５を正面から見て時計回り方向に回転させることにより、球皿１４から供給された遊技球が遊技領域１１に発射されるようになっている。
【００１２】
次に、図２〜図８を参照しつつ、本実施の形態に係るパチンコ遊技機１のパトライト１２について説明する。ここで、図２はパチンコ遊技機の中央飾りを示す斜視図（但し、レンズ体は想像線により省略して示している。）、図３はパトライトを示す分解斜視図、図４はパトライトを示す正面図、図５は図４のＡ−Ａ矢視図、図６は図４のＢ−Ｂ矢視図及びパトライトの要部を示す見上げ図、図７は反射板とＬＥＤとの位置関係を示す側面図、図８はその正面図である。
【００１３】
遊技盤６の前面側の中央飾り８には、枠体１６と遊技盤６に固定される固定枠１７とが設けられており、本実施の形態に係るパトライト１２は、この中央飾り８の上部に取り付けられるようになっている。
【００１４】
そして、このパトライト１２は、固定枠１７の前面側に設けられるベース部材２１と、ベース部材２１に水平に設けられるモータベース２２と、モータベース２２上に固定されるモータ２３と、モータベース２２の下側に設けられる第１ＬＥＤ（light-emitting diode：発光ダイオード）基板２４と、第１ＬＥＤ基板２４を保持するＬＥＤ基板保持部材２５と、モータ２３の回転軸２６に嵌着する反射板支持部材２７と、反射板支持部材２７に支持される反射板２８と、ベース部材２１に取り付けられるレンズ体２９と、レンズ体２９に保持される第２ＬＥＤ基板３０と、レンズ体２９の下面を閉塞するカバー体３１とを主体に構成されている。
【００１５】
ベース部材２１の前面側には、全体として凹状に湾曲した反射面３２，５０が形成されており、反射面３２は反射板２８の後方に形成され、反射面５０は左右側方に形成されている。また、反射面３２，５０は格子状の凹凸面を形成しており、反射面３２，５０で反射した光が拡散されるようになっている。さらに、反射面３２にはレンズ体２９を固定するための係止凹部３３が設けられている。なお、反射面３２，５０は、左右対称に形成すると共に、遊技領域１１の中央に配置するのが望ましく、その場合には、パトライト１２からの光が遊技者の正面から放出されるようになるため、演出効果を一段と高めることができる。
【００１６】
モータベース２２は半円盤状を成し、上面側にはモータ２３を固定するためのボス部３４が突設されている。また、モータベース２２の略中央部には円形の回転軸挿通孔３５が形成されており、回転軸挿通孔３５にモータ２３の回転軸２６が挿通するようになっている。
【００１７】
第１ＬＥＤ基板２４には、モータベース２２の回転軸挿通孔３５に対応した位置に円形の通孔３６が穿設されており、通孔３６にモータ２３の回転軸２６が挿通可能となっている。また、第１ＬＥＤ基板２４の下面には３個の正方形状のＬＥＤ３７ａ，３７ｂ，３７ｃが取り付けられており、図６の上側の図面に示されているように、２個のＬＥＤ３７ａ，３７ｂは前方両側において角部を正面に向けた状態で並設され、他の１個のＬＥＤ３７ｃは後方中央部において辺部を正面に向けて配置されている。そして、これらのＬＥＤ３７ａ，３７ｂ，３７ｃにより２５６色のフルカラーの光を創出可能なようになっている。
【００１８】
ＬＥＤ基板保持部材２５はモータベース２２に対応して半円盤状を成し、上面側には第１ＬＥＤ基板２４を後方から挿入可能な第１ＬＥＤ基板装着部３８が形成されている。また、ＬＥＤ基板保持部材２５には、モータベース２３の回転軸挿通孔３５及び第１ＬＥＤ基板２４の通孔３６に対応した位置に開口部３９が形成されており、開口部３９にモータ２３の回転軸２６が挿通するようになっている。
【００１９】
反射板支持部材２７は、モータ２３の回転軸２６に嵌着可能な回転軸嵌着部４０と、回転軸嵌着部４０の下端部から外側水平方向に形成された腕部４１と、腕部４１の先端部から下方鉛直方向に形成された反射板固定部４２とから構成されている。そして、回転軸嵌着部４０は回転軸２６に嵌着した状態で第１ＬＥＤ基板２４の通孔３６及びＬＥＤ基板保持部材２５の開口部３９に遊嵌し、反射板固定部４２は回転軸２６を中心として腕部４１を半径とする円に沿って回転可能となっている。また、反射板固定部４２には２個の取付孔４３が穿設されている。
【００２０】
反射板２８は略円盤状を成し、上端部に形成された取付ボス部４４及び反射板固定部４２の取付孔４３を介して反射板支持部材２７に所要角度傾斜した姿勢で固定されるようになっている。また、反射板２８の両面にはそれぞれ全体として凹状に湾曲した反射面４５ａ，４５ｂが形成されており、その各反射面４５ａ，４５ｂはそれぞれ格子状の凹凸面を形成し、反射面４５ａ，４５ｂで反射した光が拡散されるようになっている。
【００２１】
レンズ体２９は、前方に突出するように湾曲して形成されており、両端面に突設された係止凸部４６が係止凹部３３に係止することにより、レンズ体２９がベース部材２１に固定され、レンズ体２９とベース部材２１の反射面３２とにより反射板２８を囲繞するようになっている。また、レンズ体２９の後面には縦ローレット４７が形成されており、レンズ体２９の後面に進入した各種色の光を混合可能なようになっている。さらに、レンズ体２９の下部には第２ＬＥＤ基板３０を後方から挿入可能な第２ＬＥＤ基板装着部４８が形成されている。
【００２２】
第２ＬＥＤ基板３０は、レンズ体２９の第２ＬＥＤ基板装着部４８に水平姿勢で装着され、第２ＬＥＤ基板３０の上面には３個の正方形状のＬＥＤ４９ａ，４９ｂ，４９ｃが取り付けられており、これらのＬＥＤ４９ａ，４９ｂ，４９ｃにより２５６色のフルカラーの光を創出可能なようになっている。そして、図６の下側の図面に示されているように、２個のＬＥＤ４９ａ，４９ｂは前方両側において辺部を正面に向けた状態で互いに近接して並設され、他の１個のＬＥＤ４９ｃは中央部において辺部を正面に向けた状態で前方のＬＥＤ４９ａ，４９ｂに近接して配置されており、これらのＬＥＤ４９ａ，４９ｂ，４９ｃと上記した上側のＬＥＤ３７ａ，３７ｂ，３７ｃとは平面的な配置及び各ＬＥＤ間の離隔距離がそれぞれ異なるようになっている。
【００２３】
また、図６、図７及び図８に示されているように、上下のＬＥＤ３７ａ，３７ｂ，３７ｃ，４９ａ，４９ｂ，４９ｃは、それぞれ第１ＬＥＤ基板２４及び第２ＬＥＤ基板３０に反射板２８を平面的に投影して形成させた領域の内側に配置されており、これにより、上下のＬＥＤ３７ａ，３７ｂ，３７ｃ，４９ａ，４９ｂ，４９Ｃから発せられた光が反射板２８によって確実に反射されるようになっている。
【００２４】
次に、本発明の実施の形態に係るパチンコ遊技機１のパトライト１２の作用について説明する。
【００２５】
例えば、遊技球の始動入賞口９への入賞を契機として図柄表示装置７において図柄の変動表示が開始され、すべての図柄が特別状態に揃うと判断され、通常遊技から特別遊技（大当り遊技）に移行する等、パチンコ遊技機１が所定の遊技状態に移行すると、モータ２３が駆動され、上下のＬＥＤ３７ａ，３７ｂ，３７ｃ，４９ａ，４９ｂ，４９ｃが点滅される。この場合、上側のＬＥＤ３７ａ，３７ｂ，３７ｃと下側のＬＥＤ４９ａ，４９ｂ，４９ｃとで、それぞれ異なるフルカラーの光が放出され、光の点滅のタイミングをずらすように制御され、これにより、放出された光の色を混合し、多種多様な光を創出することができる。
【００２６】
上記したようにモータ２３が駆動されると、反射板２８は回転軸２６を中心として腕部４１を半径とする円に沿って回転し、上下のＬＥＤ３７ａ，３７ｂ，３７ｃ，４９ａ，４９ｂ，４９ｃから発せられた２５６色のフルカラーの光は反射板２８の上下の反射面４５ａ，４５ｂにおいて反射する。この場合、反射板２８は回転しながら光を反射するため、反射した光がよく交じり合い、多種多様な光を創出することができる。また、上下の反射面４５ａ，４５ｂがそれぞれ全体として凹状に湾曲して形成されているため、光は効率よく且つ確実に反射され、さらに、各反射面４５ａ，４５はそれぞれ凹凸面を形成しているため、反射面４５ａ，４５ｂにおいて反射された光は反射板２６の周囲に不規則に拡散される。さらにまた、上下のＬＥＤ３７ａ，３７ｂ，３７ｃ，４９ａ，４９ｂ，４９ｃは、それぞれ反射板２８の外形より内側に配置されているため（図７及び図８の１点鎖線参照）、上下のＬＥＤ３７ａ，３７ｂ，３７ｃ，４９ａ，４９ｂ，４９Ｃから発せられた光は反射板２８によって確実に反射される。
【００２７】
そして、反射板２８の上下の反射面４５ａ，４５ｂにおいて反射されたフルカラーの光は、反射板２８の後方のべース部材２１の反射面３２において反射した後、レンズ体２９を透過し、或いは、レンズ体２９を透過後、反射板２８の側方の反射面５０で反射し、或いは、反射面３２，５０において反射することなく、レンズ体２９を透過し、それぞれ前方に放出される。この時、レンズ体２９の後面には縦ローレット４７が形成されているため、レンズ体２９の後面に進入した光は適度に混合され、多彩な光となり、視覚効果を高めることができる。また、反射板２８の各反射面４５ａ，４５ｂ及びベース部材２１の反射面３２，５０はそれぞれ凹凸面を形成し、各反射面４５ａ，４５ｂ、及び３２において光が不規則に反射するようになっており、さらに、ベース部材２１の反射面３２は反射板２８の左右側方のレンズ体２９により囲まれた空間の外側にも形成されている。したがって、パトライト１２から放出される光の進路及び色合いは非常に変化に富んだものとなるため、演出効果を高め、遊技者の興趣を引き付け、遊技性の向上を図ることができる。
【００２８】
なお、発光手段としては、上記したフルカラーＬＥＤに限定されるものではなく、複数の異なる単一色のＬＥＤや電球等、他の発光手段を使用してもよく、また、上記した発光手段の配置及び設置数は、各種変更が可能である。
【００２９】
さらに、回転反射手段としては、上記した反射板２８の他、外面に反射面が形成された球状の反射球等を使用してもよい。
【００３０】
さらにまた、反射手段であるベース部材２１の反射面３２，５０や透過手段であるレンズ体２９の設置範囲及び形状は、上記したものに限定されるものではなく、各種変更が可能である。
【００３１】
さらに、レンズ体２９の後面には、縦ローレット４７の代わりに、横ローレットを形成させたり、或いは、ダイヤカットを形成させたりしてもよい。そして、レンズ体２９の後面に横ローレットを形成させた場合には、レンズ体２９に進入した光が拡散されるようになり、また異なった趣向を創出することができる。
【００３２】
さらに、上側のＬＥＤ３７ａ，３７ｂ，３７ｃと下側のＬＥＤ４９ａ，４９ｂ，４９ｃから放出される光の色や発光のタイミングの制御についても、上記した制御に限定されるものではなく、例えば、上下で同時に同一色の光を点滅させる等、各種変更が可能である。
【００３３】
また、上記実施の形態では、本発明をパチンコ遊技機１のパトライト１２に適用した場合について説明したが、これは単なる例示に過ぎず、本発明は、パチンコ遊技機１の遊技盤６や前枠３等に設置される他の装飾部品に適用することもでき、さらに、スロットマシン等、パチンコ遊技機１以外の遊技機にも適用可能であることは言う迄もない。
【図面の簡単な説明】
【００３４】
【図１】本発明の実施の形態におけるパチンコ遊技機を示す正面図である。
【図２】本発明の実施の形態に係るパチンコ遊技機の中央飾りを示す斜視図である。
【図３】本発明の実施の形態に係るパチンコ遊技機のパトライトを示す分解斜視図である。
【図４】本発明の実施の形態に係るパチンコ遊技機のパトライトを示す正面図である。
【図５】図４のＡ−Ａ矢視図である。
【図６】図４のＢ−Ｂ矢視図、及び本発明の実施の形態に係るパチンコ遊技機のパトライトの要部を示す見上げ図である。
【図７】本発明の実施の形態における反射板とＬＥＤとの位置関係を示す側面図である。
【図８】本発明の実施の形態における反射板とＬＥＤとの位置関係を示す正面図である。
【符号の説明】
【００３５】
１                        パチンコ遊技機
１２                      パトライト
２８                      反射板
２９                      レンズ体
３２                      反射面
３７ａ，３７ｂ，３７ｃ    ＬＥＤ
４５ａ，４５ｂ            反射面
４７                      縦ローレット
４９ａ，４９ｂ，４９ｃ    ＬＥＤ
５０                      反射面
【図１】
0004632291.tif 000002
【図２】
0004632291.tif 000003
【図３】
0004632291.tif 000004
【図４】
0004632291.tif 000005
【図５】
0004632291.tif 000006
【図６】
0004632291.tif 000007
【図７】
0004632291.tif 000008
【図８】
0004632291.tif 000009